(57)【要約】【課題】機器の構成変更に低コストで対応することができるネットワークノード、ネットワークシステム及び複数の機器の構成変更方法を提供する。【解決手段】ゲートウェイ３０は、ネットワーク５０とＬｏｎＷｏｒｋｓネットワーク１０とを接続しており、アドレス対応付け記憶部３２と、アドレス対応付け変更部３３とを備える。ネットワーク５０は、空調機システム群６０が接続されている。ＬｏｎＷｏｒｋｓネットワーク１０は、管理制御装置２０が接続されている。管理制御装置２０は、空調機システム群６０を管理制御する。アドレス対応付け記憶部３２は、ネットワーク変数と空調機システム群６０のアドレスとの対応付けを記憶している。ネットワーク変数は、管理制御装置２０に対して情報を送受信する際に仲介を行う手段である。アドレス対応付け変更部３３は、ネットワーク変数と空調機システム群６０のアドレスとのアドレス対応付け記憶部３２における対応付けを変更する。【選択図】        図１
2004349910.tif 000002
【特許請求の範囲】
【請求項１】
複数の機器（６０，８０）が接続されている第１ネットワーク（５０）と前記複数の機器（６０，８０）を管理制御する管理制御装置（２０）が接続されている第２ネットワーク（１０）とを接続するネットワークノード（３０，１３０）であって、
前記管理制御装置（２０）に対して情報を送受信する際に仲介を行う手段である複数の仲介手段（入力ＮＶｄ，入力ＮＶｅ，入力ＮＶｆ，入力ＮＶｇ，・・・，出力ＮＶｋ，出力ＮＶｌ，・・・）と前記複数の機器（６０，８０）のアドレスとの対応付けを記憶しているアドレス対応付け記憶部（３２）と、
前記複数の仲介手段（入力ＮＶｄ，入力ＮＶｅ，入力ＮＶｆ，入力ＮＶｇ，・・・，出力ＮＶｋ，出力ＮＶｌ，・・・）と前記複数の機器（６０，８０）の前記アドレスとの前記アドレス対応付け記憶部（３２）における前記対応付けを変更するアドレス対応付け変更部（３３）と、
を備えたネットワークノード（３０，１３０）。
【請求項２】
前記複数の仲介手段（入力ＮＶｄ，入力ＮＶｅ，入力ＮＶｆ，入力ＮＶｇ，・・・，出力ＮＶｋ，出力ＮＶｌ，・・・）と前記複数の機器（６０，８０）の前記アドレスとの前記アドレス対応付け記憶部（３２）における前記対応付けを表示画面（３１）に表示するアドレス対応付け表示部（３４）をさらに備えた
請求項１に記載のネットワークノード（３０，１３０）。
【請求項３】
前記アドレス対応付け変更部（３３）は、前記複数の仲介手段（入力ＮＶｄ，入力ＮＶｅ，入力ＮＶｆ，入力ＮＶｇ，・・・，出力ＮＶｋ，出力ＮＶｌ，・・・）と前記複数の機器（６０，８０）の前記アドレスとの前記アドレス対応付け記憶部（３２）における前記対応付けを変更する際に、前記複数の仲介手段（入力ＮＶｄ，入力ＮＶｅ，入力ＮＶｆ，入力ＮＶｇ，・・・，出力ＮＶｋ，出力ＮＶｌ，・・・）と前記複数の機器（６０，８０）の前記アドレスとの前記アドレス対応付け表示部（３４）により前記表示画面（３１）に表示された前記対応付けを変更する、
請求項２に記載のネットワークノード（３０，１３０）。
【請求項４】
前記複数の機器（６０，８０）を監視するための情報である監視情報を前記表示画面（３１）に表示する監視情報表示部（３５）をさらに備えた、
請求項１から３のいずれかに記載のネットワークノード（３０，１３０）。
【請求項５】
前記第２ネットワーク（１０）は、分散制御ネットワークであり、
前記複数の仲介手段（入力ＮＶｄ，入力ＮＶｅ，入力ＮＶｆ，入力ＮＶｇ，・・・，出力ＮＶｋ，出力ＮＶｌ，・・・）は、ネットワーク変数である、
請求項１から４のいずれかに記載のネットワークノード（３０，１３０）。
【請求項６】
複数の機器（６０，８０）が接続されている第１ネットワーク（５０）と、
前記複数の機器（６０，８０）を管理制御する管理制御装置（２０）が接続されている第２ネットワーク（１０）と、
前記第１ネットワーク（５０）と前記第２ネットワーク（１０）とを接続する請求項１から５のいずれかに記載のネットワークノード（３０，１３０）と、
を備えたネットワークシステム（１，１００）。
【請求項７】
複数の機器（６０，８０）が接続されている第１ネットワーク（５０）と前記複数の機器（６０，８０）を管理制御する管理制御装置（２０）が接続されている第２ネットワーク（１０）とを接続するネットワークノード（３０，１３０）において行われる前記複数の機器（６０，８０）の構成変更方法であって、
前記管理制御装置（２０）に対して情報が送受信される際に仲介を行う手段である複数の仲介手段（入力ＮＶｄ，入力ＮＶｅ，入力ＮＶｆ，入力ＮＶｇ，・・・，出力ＮＶｋ，出力ＮＶｌ，・・・）と前記複数の機器（６０，８０）のアドレスとの対応付けが記憶されるアドレス対応付け記憶ステップと、
前記複数の仲介手段（入力ＮＶｄ，入力ＮＶｅ，入力ＮＶｆ，入力ＮＶｇ，・・・，出力ＮＶｋ，出力ＮＶｌ，・・・）と前記複数の機器（６０，８０）の前記アドレスとの前記アドレス対応付け記憶ステップにおいて記憶された前記対応付けが変更されるアドレス対応付け変更ステップと、
を備えた前記複数の機器（６０，８０）の構成変更方法。
【請求項８】
複数の機器（６０，８０）が接続されている第１ネットワーク（５０）と前記複数の機器（６０，８０）を管理制御する管理制御装置（２０）が接続されている第２ネットワーク（１０）とを接続するネットワークノード（３０，１３０）であって、
前記管理制御装置（２０）に対して情報を送受信する際に仲介を行う手段である複数の仲介手段（入力ＮＶｄ，入力ＮＶｅ，入力ＮＶｆ，入力ＮＶｇ，・・・，出力ＮＶｋ，出力ＮＶｌ，・・・）と前記複数の機器（６０，８０）のアドレスをグループ分けしたものである１以上のアドレスグループ（Ａ，Ｂ，・・・）との対応付けを記憶しているグループ対応付け記憶部（３７）と、
前記複数の機器（６０，８０）の前記アドレスと前記１以上のアドレスグループ（Ａ，Ｂ，・・・）との対応付けを記憶しているグループ分け記憶部（３６）と、
前記複数の機器（６０，８０）の前記アドレスと前記１以上のアドレスグループ（Ａ，Ｂ，・・・）との前記グループ分け記憶部（３６）における前記対応付けを変更するグループ分け変更部（３８）と、
を備えたネットワークノード（３０，１３０）。
【請求項９】
前記複数の機器（６０，８０）の前記アドレスと前記１以上の前記アドレスグループ（Ａ，Ｂ，・・・）との前記グループ分け記憶部（３６）における前記対応付けを表示画面（３１）に表示するグループ分け表示部（３９）さらに備えた請求項８に記載のネットワークノード（３０，１３０）。
【請求項１０】
前記グループ分け変更部（３８）は、前記複数の機器（６０，８０）の前記アドレスと前記１以上のアドレスグループ（Ａ，Ｂ，・・・）との前記グループ分け記憶部（３６）における前記対応付けを変更する際に、前記複数の機器（６０，８０）の前記アドレスと前記１以上のアドレスグループ（Ａ，Ｂ，・・・）との前記グループ分け表示部（３９）により前記表示画面（３１）に表示された前記対応付けを変更する、
請求項９に記載のネットワークノード（３０，１３０）。
【請求項１１】
前記複数の機器（６０，８０）を監視するための情報である監視情報を前記表示画面（３１）に表示する監視情報表示部（３５）をさらに備えた、
請求項８から１０のいずれかに記載のネットワークノード（３０，１３０）。
【請求項１２】
前記第２ネットワーク（１０）は、分散制御ネットワークであり、
前記複数の仲介手段（入力ＮＶｄ，入力ＮＶｅ，入力ＮＶｆ，入力ＮＶｇ，・・・，出力ＮＶｋ，出力ＮＶｌ，・・・）は、ネットワーク変数である、
請求項８から１１のいずれかに記載のネットワークノード（３０，１３０）。
【請求項１３】
複数の機器（６０，８０）が接続されている第１ネットワーク（５０）と、
前記複数の機器（６０，８０）を管理制御する管理制御装置（２０）が接続されている第２ネットワーク（１０）と、
前記第１ネットワーク（５０）と前記第２ネットワーク（１０）とを接続する請求項８から１２のいずれかに記載のネットワークノード（３０，１３０）と、を備えたネットワークシステム（１，１００）。
【請求項１４】
複数の機器（６０，８０）が接続されている第１ネットワーク（５０）と前記複数の機器（６０，８０）を管理制御する管理制御装置（２０）が接続されている第２ネットワーク（１０）とを接続するネットワークノード（３０，１３０）において行われる前記複数の機器（６０，８０）の構成変更方法であって、
前記管理制御装置（２０）に対して情報が送受信される際に仲介を行う手段である複数の仲介手段（入力ＮＶｄ，入力ＮＶｅ，入力ＮＶｆ，入力ＮＶｇ，・・・，出力ＮＶｋ，出力ＮＶｌ，・・・）と前記複数の機器（６０，８０）のアドレスをグループ分けしたものである１以上のアドレスグループ（Ａ，Ｂ，・・・）との対応付けが記憶されるグループ対応付け記憶ステップと、
前記複数の機器（６０，８０）の前記アドレスと前記１以上のアドレスグループ（Ａ，Ｂ，・・・）との対応付けが記憶されるグループ分け記憶ステップと、
前記複数の機器（６０，８０）の前記アドレスと前記１以上のアドレスグループ（Ａ，Ｂ，・・・）との前記グループ分け記憶ステップにおいて記憶された前記対応付けが変更されるグループ分け変更ステップと、
を備えた前記複数の機器（６０，８０）の構成変更方法。
【発明の詳細な説明】
【０００１】
【発明の属する技術分野】
本発明は、ネットワークノード、ネットワークシステム及び複数の機器の構成変更方法に関する。
【０００２】
【従来の技術】
近年、ネットワークにおけるオープン化の流れの中で、ＢＡ（Ｂｕｉｌｄｉｎｇ  Ａｕｔｏｍａｔｉｏｎ）やＦＡ（Ｆａｃｔｏｒｙ  Ａｕｔｏｍａｔｉｏｎ）や家庭などにおいてＬｏｎＷｏｒｋｓ（登録商標）技術を採用したＬＯＮ（Ｌｏｃａｌ  Ｏｐｅｒａｔｉｏｎｇ  Ｎｅｔｗｏｒｋ）が採用され始めている（例えば、特許文献１参照。）。ＬｏｎＷｏｒｋｓネットワークに接続された各機器はＬｏｎＷｏｒｋｓノードと呼ばれる。
【０００３】
ＬｏｎＷｏｒｋｓネットワークでは、各ＬｏｎＷｏｒｋｓノードに複数のネットワーク変数が定義される。それらのネットワーク変数はバインディングによって互いに関連づけられる（例えば、特許文献２参照。）。ＬｏｎＷｏｒｋｓネットワークにおける通信は、ＬｏｎＴａｌｋ（登録商標）プロトコルに従って行われる。すなわち、送信側のＬｏｎＷｏｒｋｓノードにおける出力用ネットワーク変数に送信すべき情報が代入されると、受信側のＬｏｎＷｏｒｋｓノードにおけるバインディングされた入力用ネットワーク変数でその情報が受信される（例えば、特許文献３参照。）。つまり、ネットワーク変数は情報を伝送するための入れ物である。ＬｏｎＷｏｒｋｓネットワークにおける情報の通信では、イーサーネット（登録商標）とは異なり、送信元アドレス及び送信先アドレスが指定される必要がない。バインディングを行った際に送信元アドレス又は送信先アドレスがネットワーク変数に設定されているからである。これによりピアツーピア（ｐｅｅｒ  ｔｏ  ｐｅｅｒ）の対等な通信が行われるので、ＬｏｎＷｏｒｋｓネットワークは分散制御ネットワークとも呼ばれる。
【０００４】
ＢＡやＦＡや家庭などにおける既存のネットワークを全てＬｏｎＷｏｒｋｓネットワークで置き換えるには多大なコストを要することがある。そのため、ＬｏｎＷｏｒｋｓネットワークと既存のネットワークとが混在することがある。その場合に、ＬｏｎＷｏｒｋｓネットワークと既存のネットワークとがゲートウェイなどのネットワークノードにより接続される。
【０００５】
【特許文献１】
特開２００１−２９２１４７号公報（第２項）
【０００６】
【特許文献２】
特開２００２−５１３８８号公報（第３項）
【０００７】
【特許文献３】
特開平１０−２２９５９０号公報（第２，５項）
【０００８】
【発明が解決しようとする課題】
しかし、既存のネットワークにおいて接続された機器の構成の変更があった場合は、既存のネットワークにおける機器のアドレスとＬｏｎＷｏｒｋｓネットワークにおけるネットワークノードのネットワーク変数との対応がネットワークノードにおいて固定されていることが多いので、ＬｏｎＷｏｒｋｓネットワークのネットワーク管理者又はシステム構築者（Ｓｙｓｔｅｍ  Ｉｎｔｅｇｒａｔｏｒ）に依頼してネットワーク変数を再度バインディングし直してもらう必要があった。そのため、ネットワーク管理者又はシステム構築者に依頼することによる人件費などのコストやネットワークを止めることによる時間的コストすなわち金銭的損害などのコストがかかることがあるという問題があった。
【０００９】
そこで、本発明の課題は、機器の構成変更に低コストで対応することができるネットワークノード、ネットワークシステム及び複数の機器の構成変更方法を提供することにある。
【００１０】
【課題を解決するための手段】
請求項１に係るネットワークノードは、第１ネットワークと第２ネットワークとを接続するネットワークノードであって、アドレス対応付け記憶部と、アドレス対応付け変更部とを備える。第１ネットワークは、複数の機器が接続されている。第２ネットワークは、管理制御装置が接続されている。管理制御装置は、複数の機器を管理制御する。アドレス対応付け記憶部は、複数の仲介手段と複数の機器のアドレスとの対応付けを記憶している。仲介手段は、管理制御装置に対して情報を送受信する際に仲介を行う手段である。アドレス対応付け変更部は、複数の仲介手段と複数の機器のアドレスとのアドレス対応付け記憶部における対応付けを変更する。
【００１１】
このネットワークノードでは、アドレス対応付け記憶部は、複数の仲介手段と複数の機器のアドレスとの対応付けを記憶している。管理制御装置から複数の機器へ情報を送信する場合や複数の機器から管理制御装置へ情報を送信する場合に、アドレス対応付け記憶部が参照される。アドレス対応付け変更部は、複数の仲介手段と複数の機器のアドレスとのアドレス対応付け記憶部における対応付けを変更する。
【００１２】
したがって、複数の仲介手段と複数の機器のアドレスとの対応付けをネットワークノードで変更できるため、ネットワーク管理者又はシステム構築者に依頼する必要性が低減され、機器の構成変更に低コストで対応することができる。
なお、１つの仲介手段に対して複数の機器のアドレスが対応していてもよいし、複数の仲介手段に対して１つの機器のアドレスが対応していてもよいし、１つの仲介手段に対して１つの機器のアドレスが対応していてもよいし、複数の仲介手段に対して複数の機器のアドレスが対応していてもよい。「変更」には、仲介手段の追加は含まないが、機器のアドレスの追加は含み、単なる変更や削除なども含む。
【００１３】
請求項２に係るネットワークノードは、請求項１に記載のネットワークノードであって、アドレス対応付け表示部さらに備える。アドレス対応付け表示部は、複数の仲介手段と複数の機器のアドレスとのアドレス対応付け記憶部における対応付けを表示画面に表示する。
このネットワークノードでは、アドレス対応付け表示部は、複数の仲介手段と複数の機器のアドレスとのアドレス対応付け記憶部における対応付けの情報をアドレス対応付け記憶部から取得する。アドレス対応付け表示部は、複数の仲介手段と複数の機器のアドレスとのアドレス対応付け記憶部における対応付けを表示画面に表示する。
【００１４】
したがって、複数の仲介手段と複数の機器のアドレスとの対応付けを容易に把握することができるので、複数の仲介手段と複数の機器のアドレスとの対応付けをさらに容易に変更することができる。
なお、複数の仲介手段と複数の機器のアドレスとの対応付けは、表示画面に階層的に表示されてもいいし、平面的に表示されてもよい。
【００１５】
請求項３に係るネットワークノードは、請求項２に記載のネットワークノードであって、アドレス対応付け変更部は、複数の仲介手段と複数の機器のアドレスとのアドレス対応付け記憶部における対応付けを変更する際に、複数の仲介手段と複数の機器のアドレスとのアドレス対応付け表示部により表示画面に表示された対応付けを変更する。
【００１６】
このネットワークノードでは、アドレス対応付け表示部は、複数の仲介手段と複数の機器のアドレスとのアドレス対応付け記憶部における対応付けを表示画面に表示する。アドレス対応付け変更部は、複数の仲介手段と複数の機器のアドレスとのアドレス対応付け記憶部における対応付けを変更する。アドレス対応付け表示部は、複数の仲介手段と複数の機器のアドレスとのアドレス対応付け表示部により表示画面に表示された対応付けを変更する。
【００１７】
したがって、複数の仲介手段と複数の機器のアドレスとの変更後の対応付けを容易に把握することができるので、複数の仲介手段と複数の機器のアドレスとの変更後の対応付けを容易に確認することができる。
請求項４に係るネットワークノードは、請求項１から３のいずれかに記載のネットワークノードであって、監視情報表示部をさらに備える。監視情報表示部は、監視情報を表示画面に表示する。監視情報は、複数の機器を監視するための情報である。
【００１８】
このネットワークノードでは、第１ネットワークにおける複数の機器が監視される。監視情報表示部は、監視情報を表示画面に表示する。
したがって、監視情報をネットワークノードで把握できるため、ネットワーク管理者又はシステム構築者に依頼する必要性が低減され、機器の監視に低コストで対応することができる。
【００１９】
請求項５に係るネットワークノードは、請求項１から４のいずれかに記載のネットワークノードであって、第２ネットワークは、分散制御ネットワークである。複数の仲介手段は、ネットワーク変数である。
このネットワークノードでは、第２ネットワークは、分散制御ネットワークである。管理制御装置とネットワークノードとの間の通信は、管理制御装置のネットワーク変数とネットワークノードのネットワーク変数とを介して行う。アドレス対応付け記憶部は、複数の機器のアドレスとネットワークノードの複数のネットワーク変数との対応付けを記憶している。管理制御装置から複数の機器へ情報を送信する場合や複数の機器から管理制御装置へ情報を送信する場合に、アドレス対応付け記憶部が参照される。アドレス対応付け変更部は、複数のネットワーク変数と複数の機器のアドレスとのアドレス対応付け記憶部における対応付けを変更する。
【００２０】
したがって、複数のネットワーク変数と複数の機器のアドレスとの対応付けをネットワークノードで変更できるため、ネットワーク管理者又はシステム構築者に依頼する必要性が低減され、分散制御ネットワークと既存のネットワークとが混在する場合でも機器の構成変更に低コストで対応することができる。
請求項６に係るネットワークシステムは、第１ネットワークと、第２ネットワークと、請求項１から５のいずれかに記載のネットワークノードとを備える。第１ネットワークは、複数の機器が接続されている。第２ネットワークは、管理制御装置が接続されている。管理制御装置は、複数の機器を管理制御する。ネットワークノードは、第１ネットワークと第２ネットワークとを接続する。
【００２１】
このネットワークシステムでは、ネットワークノードのアドレス対応付け記憶部は、複数の仲介手段と複数の機器のアドレスとの対応付けを記憶している。第２ネットワークにおける管理制御装置から第１ネットワークにおける複数の機器へ情報を送信する場合や第１ネットワークにおける複数の機器から第２ネットワークにおける管理制御装置へ情報を送信する場合に、ネットワークノードのアドレス対応付け記憶部が参照される。ネットワークノードのアドレス対応付け変更部は、複数の仲介手段と複数の機器のアドレスとのアドレス対応付け記憶部における対応付けを変更する。
【００２２】
したがって、複数の仲介手段と複数の機器のアドレスとの対応付けをネットワークノードで変更できるため、ネットワーク管理者又はシステム構築者に依頼する必要性が低減され、機器の構成変更に低コストで対応することができる。
請求項７に係る複数の機器の構成変更方法は、第１ネットワークと第２ネットワークとを接続するネットワークノードにおいて行われる複数の機器の構成変更方法であって、アドレス対応付け記憶ステップと、アドレス対応付け変更ステップとを備える。第１ネットワークは、複数の機器が接続されている。第２ネットワークは、管理制御装置が接続されている。管理制御装置は、複数の機器を管理制御する。アドレス対応付け記憶ステップでは、複数の仲介手段と複数の機器のアドレスとの対応付けが記憶される。仲介手段は、管理制御装置に対して情報が送受信される際に仲介を行う手段である。アドレス対応付け変更ステップでは、複数の仲介手段と複数の機器のアドレスとのアドレス対応付け記憶ステップにおいて記憶された対応付けが変更される。
【００２３】
この複数の機器の構成変更方法では、アドレス対応付け記憶ステップにおいて、複数の仲介手段と複数の機器のアドレスとの対応付けが記憶される。管理制御装置から複数の機器へ情報が送信される場合や複数の機器から管理制御装置へ情報が送信される場合に、アドレス対応付け記憶部が参照される。アドレス対応付け変更ステップにおいて、複数の仲介手段と複数の機器のアドレスとのアドレス対応付け記憶ステップにおいて記憶された対応付けが変更される。
【００２４】
したがって、複数の仲介手段と複数の機器のアドレスとの対応付けをネットワークノードで変更できるため、ネットワーク管理者又はシステム構築者に依頼する必要性が低減され、機器の構成変更に低コストで対応することができる。
なお、１つの仲介手段に対して複数の機器のアドレスが対応していてもよいし、複数の仲介手段に対して１つの機器のアドレスが対応していてもよいし、１つの仲介手段に対して１つの機器のアドレスが対応していてもよいし、複数の仲介手段に対して複数の機器のアドレスが対応していてもよい。「変更」には、仲介手段の追加は含まないが、機器のアドレスの追加は含み、単なる変更や削除なども含む。
【００２５】
請求項８に係るネットワークノードは、第１ネットワークと第２ネットワークとを接続するネットワークノードであって、グループ対応付け記憶部と、グループ分け記憶部と、グループ分け変更部とを備える。第１ネットワークは、複数の機器が接続されている。第２ネットワークは、管理制御装置が接続されている。管理制御装置は、複数の機器を管理制御する。グループ対応付け記憶部は、複数の仲介手段と１以上のアドレスグループとの対応付けを記憶している。仲介手段は、管理制御装置に対して情報を送受信する際に仲介を行う手段である。アドレスグループは、複数の機器のアドレスをグループ分けしたものである。グループ分け記憶部は、複数の機器のアドレスと１以上のアドレスグループとの対応付けを記憶している。グループ分け変更部は、複数の機器のアドレスと１以上のアドレスグループとのグループ分け記憶部における対応付けを変更する。
【００２６】
このネットワークノードでは、グループ対応付け記憶部は、複数の仲介手段と１以上のアドレスグループとの対応付けを記憶している。グループ分け記憶部は、複数の機器のアドレスと１以上のアドレスグループとの対応付けを記憶している。管理制御装置から複数の機器へ情報を送信する場合や複数の機器から管理制御装置へ情報を送信する場合に、グループ分け記憶部及びグループ対応付け記憶部が参照される。グループ分け変更部は、複数の機器のアドレスと１以上のアドレスグループとのグループ分け記憶部における対応付けを変更する。
【００２７】
したがって、複数の機器のアドレスと１以上のアドレスグループとの対応付けをネットワークノードで変更できるため、ネットワーク管理者又はシステム構築者に依頼する必要性が低減され、機器の構成変更に低コストで対応することができる。
なお、全てのアドレスに対して１つのアドレスグループが対応していてもよいし、全てのアドレスに対して複数のアドレスグループが対応していてもよい。１つのアドレスに対して１つのアドレスグループが対応していてもよいし、１つのアドレスに対して複数のアドレスグループが対応していてもよい。「変更」には、機器のアドレスの追加は含み、単なる変更や削除なども含む。さらに、「変更」にアドレスグループの追加を含めてもよい。
【００２８】
請求項９に係るネットワークノードは、請求項８に記載のネットワークノードであって、グループ分け表示部さらに備える。グループ分け表示部は、複数の機器のアドレスと１以上のアドレスグループとのグループ分け記憶部における対応付けを表示画面に表示する。
このネットワークノードでは、グループ分け表示部は、複数の機器のアドレスと１以上のアドレスグループとのグループ分け記憶部における対応付けの情報をグループ分け記憶部から取得する。グループ分け表示部は、複数の機器のアドレスと１以上のアドレスグループとのグループ分け記憶部における対応付けを表示画面に表示する。
【００２９】
したがって、複数の機器のアドレスと１以上のアドレスグループとのグループ分け記憶部における対応付けを容易に把握することができるので、複数の機器のアドレスと１以上のアドレスグループとの対応付けをさらに容易に変更することができる。
なお、複数の機器のアドレスと１以上のアドレスグループとの対応付けは、表示画面に階層的に表示されてもいいし、平面的に表示されてもよい。
【００３０】
請求項１０に係るネットワークノードは、請求項９に記載のネットワークノードであって、グループ分け変更部は、複数の機器のアドレスと１以上のアドレスグループとのグループ分け記憶部における対応付けを変更する際に、複数の機器のアドレスと１以上のアドレスグループとのグループ分け表示部により表示画面に表示された対応付けを変更する。
【００３１】
このネットワークノードでは、グループ分け表示部は、複数の機器のアドレスと１以上のアドレスグループとのグループ分け記憶部における対応付けを表示画面に表示する。グループ分け変更部は、複数の機器のアドレスと１以上のアドレスグループとのグループ分け記憶部における対応付けを変更する。グループ分け表示部は、複数の機器のアドレスと１以上のアドレスグループとの変更後の対応付けをグループ分け記憶部から取得し、複数の機器のアドレスと１以上のアドレスグループとのグループ分け表示部により表示画面に表示された対応付けを変更する。
【００３２】
したがって、複数の機器のアドレスと１以上のアドレスグループとの変更後の対応付けを容易に把握することができるので、複数の機器のアドレスと１以上のアドレスグループとの変更後の対応付けを容易に確認することができる。
請求項１１に係るネットワークノードは、請求項８から１０のいずれかに記載のネットワークノードであって、監視情報表示部をさらに備える。監視情報表示部は、監視情報を表示画面に表示する。監視情報は、複数の機器を監視するための情報である。
【００３３】
このネットワークノードでは、第１ネットワークにおける複数の機器が監視される。監視情報表示部は、監視情報を表示画面に表示する。
したがって、監視情報をネットワークノードで把握できるため、ネットワーク管理者又はシステム構築者に依頼する必要性が低減され、機器の監視に低コストで対応することができる。
【００３４】
請求項１２に係るネットワークノードは、請求項８から１１のいずれかに記載のネットワークノードであって、第２ネットワークは、分散制御ネットワークである。複数の仲介手段は、ネットワーク変数である。
このネットワークノードでは、第２ネットワークは、分散制御ネットワークである。管理制御装置とネットワークノードとの間の通信は、管理制御装置のネットワーク変数とネットワークノードのネットワーク変数とを介して行う。グループ分け記憶部は、複数の機器のアドレスと１以上のアドレスグループとの対応付けを記憶している。グループ対応付け記憶部は、複数のネットワーク変数と１以上のアドレスグループとの対応付けを記憶している。管理制御装置から複数の機器へ情報を送信する場合や複数の機器から管理制御装置へ情報を送信する場合に、グループ分け記憶部とグループ対応付け記憶部とが参照される。グループ分け変更部は、複数の機器のアドレスと１以上のアドレスグループとのグループ分け記憶部における対応付けを変更する。
【００３５】
したがって、複数の機器のアドレスと１以上のアドレスグループとの対応付けをネットワークノードで変更できるため、ネットワーク管理者又はシステム構築者に依頼する必要性が低減され、分散制御ネットワークと既存のネットワークとが混在する場合でも機器の構成変更に低コストで対応することができる。
請求項１３に係るネットワークシステムは、第１ネットワークと、第２ネットワークと、請求項８から１２のいずれかに記載のネットワークノードとを備える。第１ネットワークは、複数の機器が接続されている。第２ネットワークは、管理制御装置が接続されている。管理制御装置は、複数の機器を管理制御する。ネットワークノードは、第１ネットワークと第２ネットワークとを接続する。
【００３６】
このネットワークシステムでは、ネットワークノードのグループ分け記憶部は、複数の機器のアドレスと１以上のアドレスグループとの対応付けを記憶している。ネットワークノードのグループ対応付け記憶部は、複数の仲介手段と１以上のアドレスグループとの対応付けを記憶している。第２ネットワークにおける管理制御装置から第１ネットワークにおける複数の機器へ情報を送信する場合や第１ネットワークにおける複数の機器から第２ネットワークにおける管理制御装置へ情報を送信する場合に、グループ分け記憶部及びグループ対応付け記憶部が参照される。ネットワークノードのグループ分け変更部は、複数の機器のアドレスと１以上のアドレスグループとのグループ分け記憶部における対応付けを変更する。
【００３７】
したがって、複数の機器のアドレスと１以上のアドレスグループとの対応付けをネットワークノードで変更できるため、ネットワーク管理者又はシステム構築者に依頼する必要性が低減され、機器の構成変更に低コストで対応することができる。
請求項１４にかかる複数の機器の構成変更方法は、第１ネットワークと第２ネットワークとを接続するネットワークノードにおいて行われる複数の機器の構成変更方法であって、グループ対応付け記憶ステップと、グループ分け記憶ステップと、グループ分け変更ステップとを備える。第１ネットワークは、複数の機器が接続されている。第２ネットワークは、管理制御装置が接続されている。管理制御装置は、複数の機器を管理制御する。グループ対応付け記憶ステップでは、複数の仲介手段と１以上のアドレスグループとの対応付けが記憶される。仲介手段は、管理制御装置に対して情報が送受信される際に仲介を行う手段である。アドレスグループは、複数の機器のアドレスをグループ分けしたものである。グループ分け記憶ステップでは、複数の機器のアドレスと１以上のアドレスグループとの対応付けが記憶される。グループ分け変更ステップでは、複数の機器のアドレスと１以上のアドレスグループとのグループ分け記憶ステップにおいて記憶された対応付けが変更される。
【００３８】
この複数の機器の構成変更方法では、グループ対応付け記憶ステップにおいて、複数の仲介手段と１以上のアドレスグループとの対応付けが記憶される。グループ分け記憶ステップにおいて、複数の機器のアドレスと１以上のアドレスグループとの対応付けが記憶される。管理制御装置から複数の機器へ情報が送信される場合や複数の機器から管理制御装置へ情報が送信される場合に、グループ分け記憶ステップにおいて記憶された対応付けとグループ対応付け記憶ステップにおいて記憶された対応付けとが参照される。グループ分け変更ステップにおいて、複数の機器のアドレスと１以上のアドレスグループとのグループ分け記憶部における対応付けが変更される。
【００３９】
したがって、複数の機器のアドレスと１以上のアドレスグループとの対応付けをネットワークノードで変更できるため、ネットワーク管理者又はシステム構築者に依頼する必要性が低減され、機器の構成変更に低コストで対応することができる。
なお、全てのアドレスに対して１つのアドレスグループが対応していてもよいし、全てのアドレスに対して複数のアドレスグループが対応していてもよい。１つのアドレスに対して１つのアドレスグループが対応していてもよいし、１つのアドレスに対して複数のアドレスグループが対応していてもよい。「変更」には、機器のアドレスの追加は含み、単なる変更や削除なども含む。さらに、「変更」にアドレスグループの追加を含めてもよい。
【００４０】
【発明の実施の形態】
［第１実施形態］
図１に、本発明の第１実施形態にかかるネットワークシステム１の構成図を示す。また、本発明の第１実施形態にかかるネットワークシステム１の構成要素の構成図を図２に示す。
【００４１】
＜ネットワークシステム１の全体構成＞
図１に示すネットワークシステム１は、主として管理制御装置２０とゲートウェイ３０と空調機システム群６０（６０ａ，６０ｂ，・・・）とＬｏｎＷｏｒｋｓネットワーク１０とネットワーク５０と設備機器群９０（９１，９２，・・・）とを備える。
【００４２】
管理制御装置２０とゲートウェイ３０とはＬｏｎＷｏｒｋｓネットワーク１０で接続されている。管理制御装置２０と設備機器群９０（９１，９２，・・・）とはＬｏｎＷｏｒｋｓネットワーク１０で接続されている。ゲートウェイ３０と空調機システム群６０（６０ａ，６０ｂ，・・・）とはネットワーク５０で接続されている。ＬｏｎＷｏｒｋｓネットワーク１０とネットワーク５０とはゲートウェイ３０で接続されている。ゲートウェイ３０には、表示画面３１が備えられている。
【００４３】
＜管理制御装置２０の構成＞
図１に示す管理制御装置２０は、通常のパーソナルコンピュータ（ＰＣ、Ｍａｃｉｎｔｏｓｈ（登録商標）など）又はエンジニアリングワークステーション（ＥＷＳ）などと同様の構成である。
図１に示す管理制御装置２０は、空調機システム群６０（６０ａ，６０ｂ，・・・）とともに設備機器群９０（９１，９２，・・・）を管理制御する。
【００４４】
＜ゲートウェイ３０の構成＞
図１に示すゲートウェイ３０は、図２に示すように、主として表示画面３１とグループ分け記憶部３６とグループ対応付け記憶部３７とグループ分け変更部３８とグループ分け表示部３９と入力インターフェース４０とを備える。
図２に示すグループ分け記憶部３６は、図１に示す室内機６２ａ，６３ａ，６４ａ，・・・，６２ｂ，６３ｂ，６４ｂ，・・・のアドレスと図４に示すアドレスグループＡ，Ｂ，・・・との対応付けを記憶している。図２に示すグループ対応付け記憶部３７は、図４に示すアドレスグループＡ，Ｂ，・・・とゲートウェイ３０のネットワーク変数（入力ＮＶｄ，入力ＮＶｅ，入力ＮＶｆ，入力ＮＶｇ，・・・，出力ＮＶｋ，出力ＮＶｌ，・・・）との対応付けを記憶している。
【００４５】
図２に示すグループ分け表示部３９は、ユーザが入力インターフェース４０に入力した命令に基づき、図１に示す室内機６２ａ，６３ａ，６４ａ，・・・，６２ｂ，６３ｂ，６４ｂ，・・・のアドレスと図４に示すアドレスグループＡ，Ｂ，・・・との対応付けの情報を図２に示すグループ分け記憶部３６から取得し、表示画面３１に表示する。
【００４６】
＜空調機システム群６０（６０ａ，６０ｂ，・・・）の構成＞
図１に示すように、空調機システム群６０（６０ａ，６０ｂ，・・・）は、主として室内機群（６２ａ，６３ｂ，６４ａ，・・・，６２ｂ，６３ｂ，６４ｂ，・・・）と室外機群６１（６１ａ，６１ｂ，・・・）とを備える。
室内機群（６２ａ，６３ｂ，６４ａ，・・・，６２ｂ，６３ｂ，６４ｂ，・・・）と室外機群６１（６１ａ，６１ｂ，・・・）とは、ネットワーク５０で接続されている。
【００４７】
＜ＬｏｎＷｏｒｋｓネットワーク１０の構成＞
図１に示すように、ＬｏｎＷｏｒｋｓネットワーク１０は、管理制御装置２０とゲートウェイ３０とを接続している。
図１に示すＬｏｎＷｏｒｋｓネットワーク１０では、図４に示すネットワーク変数（出力ＮＶａ，出力ＮＶｂ，出力ＮＶｃ，・・・，入力ＮＶｈ，入力ＮＶｉ，入力ＮＶｊ，・・・，入力ＮＶｄ，入力ＮＶｅ，入力ＮＶｆ，入力ＮＶｇ，・・・，出力ＮＶｋ，出力ＮＶｌ，・・・）を介して情報の送受信が行われる。情報の送受信の際に、送信元アドレス及び送信先アドレスはいずれも指定されない。あらかじめ行われているバインディングにより、送信元アドレス又は送信先アドレスが、ネットワーク変数（出力ＮＶａ，出力ＮＶｂ，出力ＮＶｃ，・・・，入力ＮＶｈ，入力ＮＶｉ，入力ＮＶｊ，・・・，入力ＮＶｄ，入力ＮＶｅ，入力ＮＶｆ，入力ＮＶｇ，・・・，出力ＮＶｋ，出力ＮＶｌ，・・・）に設定されているからである。
【００４８】
＜ネットワーク５０の構成＞
図１に示すネットワーク５０は、ＬｏｎＷｏｒｋｓネットワーク１０とは異なる方式のネットワークである。
図１に示すネットワーク５０では、情報の送受信の際に、通常、送信元アドレス及び送信先アドレスが指定される。
【００４９】
＜ネットワークシステム１が空調機システム群６０（６０ａ，６０ｂ，・・・）の構成変更へ対応する処理の流れ＞
図１に示すネットワークシステム１が空調機システム群６０（６０ａ，６０ｂ，・・・）の構成変更へ対応する処理の流れを、図３に示すフローチャートを用いて説明する。
【００５０】
図３に示すステップＳ１では、図４に示す管理制御装置２０の出力用ネットワーク変数（出力ＮＶａ，出力ＮＶｂ，出力ＮＶｃ，・・・）とゲートウェイ３０の入力用ネットワーク変数（入力ＮＶｄ，入力ＮＶｅ，入力ＮＶｆ，入力ＮＶｇ，・・・）との、あるいは管理制御装置２０の入力用ネットワーク変数（入力ＮＶｈ，入力ＮＶｉ，入力ＮＶｊ，・・・）とゲートウェイ３０の出力用ネットワーク変数（出力ＮＶｋ，出力ＮＶｌ，・・・）とのバインディングがネットワーク管理者又はシステム構築者により行われる。図３に示すステップＳ２では、図４に示すゲートウェイ３０のネットワーク変数（入力ＮＶｄ，入力ＮＶｅ，入力ＮＶｆ，入力ＮＶｇ，・・・，出力ＮＶｋ，出力ＮＶｌ，・・・）とアドレスグループＡ，Ｂ，・・・との対応付けがネットワーク管理者又はシステム構築者によりゲートウェイ３０に設定され、図２に示すグループ対応付け記憶部３７に記憶される。図３に示すステップＳ３では、図２に示す入力インターフェース４０からの命令がグループ分け表示部３９に伝達され、グループ分け表示部３９によりグループ対応付け記憶部３７が参照され、グループ分け表示部３９により表示画面３１に図５に示すようなグループ設定画面１５１が表示され、欄１５２においてアドレスグループＡ，Ｂ，・・・のいずれかが選択される。図３に示すステップＳ４では、図５に示す「登録アドレス編集」ボタン１５３が押され、図２に示すグループ分け表示部３９によりグループ分け記憶部３６が参照され、グループ分け表示部３９により表示画面３１に図６に示すような登録アドレス編集画面１５５が表示される。登録アドレス編集画面１５５では、図３に示すステップＳ３で選択されたアドレスグループＡ，Ｂ，・・・に所属する図１に示す室内機６２ａ，６３ａ，６４ａ，・・・，６２ｂ，６３ｂ，６４ｂ，・・・のアドレスが「登録済みアドレス」の欄１５６に表示される。ただし、初期の状態では「登録済みアドレス」の欄１５６は空欄になっている。登録アドレス編集画面１５５において、図３に示すステップＳ３で選択されたアドレスグループＡ，Ｂ，・・・に所属する図１に示す室内機６２ａ，６３ａ，６４ａ，・・・，６２ｂ，６３ｂ，６４ｂ，・・・のアドレスが登録される。図３に示すステップＳ５では、図６及び図５に示す「ＯＫ」ボタン１６０，１５４が押される。図１に示す室内機６２ａ，６３ａ，６４ａ，・・・，６２ｂ，６３ｂ，６４ｂ，・・・のアドレスと図４に示すアドレスグループＡ，Ｂ，・・・との対応付けは、図２に示す入力インターフェース４０によりグループ分け変更部３８へ伝達され、グループ分け変更部３８によりグループ分け記憶部３６へ記憶される。図３に示すステップＳ６では、空調機システム群６０（６０ａ，６０ｂ，・・・）の構成変更があるか否かが判断される。構成変更があると判断されればステップＳ３へ進み、構成変更がないと判断されればステップＳ６へ進む。
【００５１】
＜ネットワークシステム１において情報が送受信される動作＞
図１に示すネットワークシステム１において情報が送受信される動作を、図４に示す概念図を用いて説明する。図４においてネットワーク変数（出力ＮＶａ，出力ＮＶｂ，出力ＮＶｃ，・・・，入力ＮＶｈ，入力ＮＶｉ，入力ＮＶｊ，・・・，入力ＮＶｄ，入力ＮＶｅ，入力ＮＶｆ，入力ＮＶｇ，・・・，出力ＮＶｋ，出力ＮＶｌ，・・・）は白抜きの矢印で示され、その矢印の方向によって情報の伝達の方向が表される。ネットワーク変数（出力ＮＶａ，出力ＮＶｂ，出力ＮＶｃ，・・・，入力ＮＶｈ，入力ＮＶｉ，入力ＮＶｊ，・・・，入力ＮＶｄ，入力ＮＶｅ，入力ＮＶｆ，入力ＮＶｇ，・・・，出力ＮＶｋ，出力ＮＶｌ，・・・）やアドレスグループＡ，Ｂ，・・・や室内機６２ａ，６３ａ，６４ａ，・・・，６２ｂ，６３ｂ，・・・のアドレスの間を接続している実線は、実際の配線を表しているのではなく、単に情報の入出力先を表しているものとする。
【００５２】
図１に示す管理制御装置２０から室内機６２ａ，６３ａ，６４ａへ情報を送信する場合を考える。管理制御装置２０において図４に示す出力用ネットワーク変数（出力ＮＶａ）に情報が代入されると、その情報がゲートウェイ３０に送信される。その情報は、ゲートウェイ３０の入力用ネットワーク変数（入力ＮＶｄ）に受け取られ、ゲートウェイ３０に受信される。ゲートウェイ３０では、図２に示すグループ対応付け記憶部３７が参照され、図４に示す入力用ネットワーク変数（入力ＮＶｄ）の情報の入力先がアドレスグループＡに決定される。さらに、ゲートウェイ３０では、図２に示すグループ分け記憶部３６が参照され、図４に示すアドレスグループＡの情報の入力先が室内機６２ａアドレス、室内機６３ａアドレス、室内機６４ａアドレスに決定される。そして、入力用ネットワーク変数（入力ＮＶｄ）の情報は、ゲートウェイ３０から室内機６２ａ，６３ａ，６４ａへ送信される。
【００５３】
次に、図１に示す室内機６２ａ，６３ａ，６４ａから管理制御装置２０へ情報を送信する場合を考える。室内機６２ａ，６３ａ，６４ａから送信された情報は、ゲートウェイ３０で受信される。ゲートウェイ３０では、図２に示すグループ分け記憶部３６が参照され、図１に示す室内機６２ａ，６３ａ，６４ａの情報の入力先が図４に示すアドレスグループＡに決定される。さらに、ゲートウェイ３０では、図２に示すグループ対応付け記憶部３７が参照され、図４に示すアドレスグループＡの情報の入力先が出力用ネットワーク変数（出力ＮＶｋ，出力ＮＶｌ）に決定される。そして、室内機６２ａ，６３ａ，６４ａの情報がゲートウェイ３０の出力用ネットワーク変数（出力ＮＶｋ，出力ＮＶｌ）に代入されると、その情報が管理制御装置２０に送信される。室内機６２ａ，６３ａ，６４ａの情報は、管理制御装置２０の入力用ネットワーク変数（入力ＮＶｈ，ＮＶｉ，ＮＶｊ）に受け取られ、管理制御装置２０に受信される。
【００５４】
＜ネットワークシステム１が空調機システム群６０（６０ａ，６０ｂ，・・・）の構成変更へ対応する際の表示画面３１の動作＞
図１に示すネットワークシステム１が空調機システム群６０（６０ａ，６０ｂ，・・・）の構成変更へ対応する際の表示画面３１の動作を、図５から図７に示す概念図を用いて説明する。
【００５５】
図１に示すネットワークシステム１において、室内機６２ａが室内機６５ａへと入れ替えられた場合を考える。ユーザが図２に示す入力インターフェース４０に命令を入力すると、グループ分け表示部３９によりグループ対応付け記憶部３７が参照され、グループ分け表示部３９により表示画面３１に図５に示すようなグループ設定画面１５１が表示される。「グループ設定」と書かれた下の欄１５２には、図２に示すグループ対応付け記憶部３７に記憶されたアドレスグループＡ，Ｂ，・・・が表示される。図５には、アドレスグループＡとアドレスグループＢとの２つのアドレスグループが存在している場合を示している。図１に示す室内機６２ａのアドレスがアドレスグループＡに属するのかアドレスグループＢに属するのかはこの時点では分からないが、とりあえず図５に示すグループ設定画面１５１においてアドレスグループＡが選択され、「グループ設定」と書かれた下の欄１５２においてアドレスグループＡがハイライト表示される。「登録アドレス編集」ボタン１５３が押されると、図２に示すグループ分け表示部３９によりグループ分け記憶部３６が参照され、グループ分け表示部３９により表示画面３１に図６に示すような登録アドレス編集画面１５５が表示される。登録アドレス編集画面１５５では、「登録済みアドレス」欄１５６に室内機６２ａのアドレスと室内機６３ａのアドレスと室内機６４ａのアドレスとが表示されているので、室内機６２ａのアドレスがアドレスグループＡに属することが確認される。「登録済みアドレス」欄１５６で室内機６２ａのアドレスが選択され、「削除」ボタン１５９が押されると、室内機６２ａのアドレスが「登録済みアドレス」欄１５６から「未登録アドレス」欄１５７へ移動する。そして、「未登録アドレス」欄１５７で室内機６５ａのアドレスが選択され、「追加」ボタン１５８が押されると、室内機６５ａのアドレスが「未登録アドレス」欄１５７から「登録済みアドレス」欄１５６へ移動し、登録アドレス編集画面１５５は図７に示す状態になる。ここで、「ＯＫ」ボタン１６０が押されると、図５に示すグループ設定画面１５１が再び表示される。グループ設定画面１５１で「ＯＫ」ボタン１５４が押されると、図１に示す室内機６３ａのアドレス及び室内機６４ａのアドレス及び室内機６５ａのアドレスと図４に示すアドレスグループＡとの対応付けが、図２に示す入力インターフェース４０によりグループ分け変更部３８へ伝達され、グループ分け変更部３８によりグループ分け記憶部３６へ記憶される。すなわち、アドレスグループＡに属する室内機６２ａ，６３ａ，６４ａ，・・・，６２ｂ，６３ｂ，６４ｂ，・・・のアドレスの情報が更新され、空調機システム群６０（６０ａ，６０ｂ，・・・）の構成変更への対応が行われる。
【００５６】
なお、図５のグループ設定画面１５１において、「名称変更」ボタンは、「グループ設定」と書かれた下の欄１５２に表示されているアドレスグループＡ，Ｂ，・・・の名称を変更するためのボタンである。「グループ名称」欄は、「グループ設定」と書かれた下の欄１５２に表示されているアドレスグループＡ，Ｂ，・・・の名称を変更するための欄である。「追加」ボタンは、アドレスグループＡ，Ｂ，・・・を新規に追加するボタンである。ただし、図３のステップＳ２で、図４に示すゲートウェイ３０のネットワーク変数（入力ＮＶｄ，入力ＮＶｅ，入力ＮＶｆ，入力ＮＶｇ，・・・，出力ＮＶｋ，出力ＮＶｌ，・・・）との対応付けがされていないアドレスグループＡ，Ｂ，・・・が追加された場合は、ネットワーク管理者又はシステム構築者に依頼して、ゲートウェイ３０のネットワーク変数（入力ＮＶｄ，入力ＮＶｅ，入力ＮＶｆ，入力ＮＶｇ，・・・，出力ＮＶｋ，出力ＮＶｌ，・・・）と新規に追加されたアドレスグループＡ，Ｂ，・・・との対応付けをゲートウェイ３０に設定してもらう必要がある。「削除」ボタンは、「グループ設定」と書かれた下の欄１５２に表示されているアドレスグループＡ，Ｂ，・・・のいずれかの削除するためのボタンである。アドレスグループＡ，Ｂ，・・・のいずれかの削除が指定された場合、図２のグループ分け変更部３８によりグループ分け記憶部３６から指定されたアドレスグループＡ，Ｂ，・・・の情報が削除される。しかし、グループ対応付け記憶部３７からは指定されたアドレスグループＡ，Ｂ，・・・の情報は削除されない。
【００５７】
＜ネットワークシステム１に関する特徴＞
（１）
ここでは、図２に示すゲートウェイ３０のグループ対応付け記憶部３７は、図４に示すネットワーク変数（入力ＮＶｄ，入力ＮＶｅ，入力ＮＶｆ，入力ＮＶｇ，・・・，出力ＮＶｋ，出力ＮＶｌ，・・・）とアドレスグループＡ，Ｂ，・・・との対応付けを記憶している。図２に示すゲートウェイ３０のグループ分け記憶部３６は、図１に示す室内機６２ａ，６３ａ，６４ａ，・・・，６２ｂ，６３ｂ，６４ｂ，・・・のアドレスとアドレスグループＡ，Ｂ，・・・との対応付けを記憶している。図１に示す管理制御装置２０から室内機６２ａ，６３ａ，６４ａ，・・・，６２ｂ，６３ｂ，６４ｂ，・・・へ情報を送信する場合や室内機６２ａ，６３ａ，６４ａ，・・・，６２ｂ，６３ｂ，６４ｂ，・・・から管理制御装置２０へ情報を送信する場合に、図４に示すように、図２に示すグループ分け記憶部３６及びグループ対応付け記憶部３７が参照される。ゲートウェイ３０のグループ分け変更部３８は、室内機６２ａ，６３ａ，６４ａ，・・・，６２ｂ，６３ｂ，６４ｂ，・・・のアドレスとアドレスグループＡ，Ｂ，・・・との対応付けを変更する。
【００５８】
したがって、室内機６２ａ，６３ａ，６４ａ，・・・，６２ｂ，６３ｂ，６４ｂ，・・・のアドレスとアドレスグループＡ，Ｂ，・・・との対応付けがゲートウェイ３０で変更されるため、ネットワーク管理者又はシステム構築者に依頼する必要性が低減され、空調機システム群６０（６０ａ，６０ｂ，・・・）の構成変更に低コストで対応が行われる。
【００５９】
（２）
ここでは、図２に示すグループ分け表示部３９は、図１に示す室内機６２ａ，６３ａ，６４ａ，・・・，６２ｂ，６３ｂ，６４ｂ，・・・のアドレスと図４に示すアドレスグループＡ，Ｂ，・・・との図２に示すグループ分け記憶部３６における対応付けの情報をグループ分け記憶部３６から取得する。グループ分け表示部３９は、図１に示す室内機６２ａ，６３ａ，６４ａ，・・・，６２ｂ，６３ｂ，６４ｂ，・・・のアドレスと図４に示すアドレスグループＡ，Ｂ，・・・との図２に示すグループ分け記憶部３６における対応付けを表示画面３１に表示する。
【００６０】
したがって、図１に示す室内機６２ａ，６３ａ，６４ａ，・・・，６２ｂ，６３ｂ，６４ｂ，・・・のアドレスと図４に示すアドレスグループＡ，Ｂ，・・・との図２に示すグループ分け記憶部３６における対応付けが容易に把握されるので、図１に示す室内機６２ａ，６３ａ，６４ａ，・・・，６２ｂ，６３ｂ，６４ｂ，・・・のアドレスと図４に示すアドレスグループＡ，Ｂ，・・・との対応付けがさらに容易に変更される。
【００６１】
（３）
ここでは、図２に示すグループ分け表示部３９は、図１に示す室内機６２ａ，６３ａ，６４ａ，・・・，６２ｂ，６３ｂ，６４ｂ，・・・のアドレスと図４に示すアドレスグループＡ，Ｂ，・・・との図２に示すグループ分け記憶部３６における対応付けを表示画面３１に表示する。グループ分け変更部３８は、図１に示す室内機６２ａ，６３ａ，６４ａ，・・・，６２ｂ，６３ｂ，６４ｂ，・・・のアドレスと図４に示すアドレスグループＡ，Ｂ，・・・との図２に示すグループ分け記憶部３６における対応付けを変更する。グループ分け表示部３９は、図１に示す室内機６２ａ，６３ａ，６４ａ，・・・，６２ｂ，６３ｂ，６４ｂ，・・・のアドレスと図４に示すアドレスグループＡ，Ｂ，・・・との変更後の対応付けを図２に示すグループ分け記憶部３６から取得し、図１に示す室内機６２ａ，６３ａ，６４ａ，・・・，６２ｂ，６３ｂ，６４ｂ，・・・のアドレスと図４に示すアドレスグループＡ，Ｂ，・・・との図２に示すグループ分け表示部３９により表示画面３１に表示された対応付けを変更する。
【００６２】
したがって、図１に示す室内機６２ａ，６３ａ，６４ａ，・・・，６２ｂ，６３ｂ，６４ｂ，・・・のアドレスと図４に示すアドレスグループＡ，Ｂ，・・・との変更後の対応付けが容易に把握されるので、図１に示す室内機６２ａ，６３ａ，６４ａ，・・・，６２ｂ，６３ｂ，６４ｂ，・・・のアドレスと図４に示すアドレスグループＡ，Ｂ，・・・との変更後の対応付けが容易に確認される。
【００６３】
（４）
ここでは、図１に示すＬｏｎＷｏｒｋｓネットワーク１０は、分散制御ネットワークである。管理制御装置２０とゲートウェイ３０との間の通信は、図４に示す管理制御装置２０のネットワーク変数（出力ＮＶａ，出力ＮＶｂ，出力ＮＶｃ，・・・，入力ＮＶｈ，入力ＮＶｉ，入力ＮＶｊ，・・・）とゲートウェイ３０のネットワーク変数（入力ＮＶｄ，入力ＮＶｅ，入力ＮＶｆ，入力ＮＶｇ，・・・，出力ＮＶｋ，出力ＮＶｌ，・・・）とを介して行う。図２に示すグループ分け記憶部３６は、図１に示す室内機６２ａ，６３ａ，６４ａ，・・・，６２ｂ，６３ｂ，６４ｂ，・・・のアドレスと図４に示すアドレスグループＡ，Ｂ，・・・との対応付けを記憶している。図２に示すグループ対応付け記憶部３７は、図４に示すネットワーク変数（入力ＮＶｄ，入力ＮＶｅ，入力ＮＶｆ，入力ＮＶｇ，・・・，出力ＮＶｋ，出力ＮＶｌ，・・・）とアドレスグループＡ，Ｂ，・・・との対応付けを記憶している。図１に示す管理制御装置２０から室内機６２ａ，６３ａ，６４ａ，・・・，６２ｂ，６３ｂ，６４ｂ，・・・へ情報を送信する場合や室内機６２ａ，６３ａ，６４ａ，・・・，６２ｂ，６３ｂ，６４ｂ，・・・から管理制御装置２０へ情報を送信する場合に、図４に示すように、図２に示すグループ分け記憶部３６とグループ対応付け記憶部３７とが参照される。グループ分け変更部３８は、図１に示す室内機６２ａ，６３ａ，６４ａ，・・・，６２ｂ，６３ｂ，６４ｂ，・・・のアドレスと図４に示すアドレスグループＡ，Ｂ，・・・との図２に示すグループ分け記憶部３６における対応付けを変更する。
【００６４】
したがって、図１に示す室内機６２ａ，６３ａ，６４ａ，・・・，６２ｂ，６３ｂ，６４ｂ，・・・のアドレスと図４に示すアドレスグループＡ，Ｂ，・・・との対応付けが図２に示すゲートウェイ３０で変更されるため、ネットワーク管理者又はシステム構築者に依頼する必要性が低減され、ＬｏｎＷｏｒｋｓネットワーク１０と既存のネットワーク５０とが混在する場合でも空調機システム群６０（６０ａ，６０ｂ，・・・）の構成変更に低コストで対応が行われる。
【００６５】
（５）
ここでは、図５に示すグループ設定画面１５１でアドレスグループＡ，Ｂ，・・・が選択され、図６及び図７に示す登録アドレス編集画面１５５でアドレスグループＡ，Ｂ，・・・に所属する室内機６２ａ，６３ａ，６４ａ，・・・，６２ｂ，６３ｂ，６４ｂ，・・・のアドレスが決定される。
【００６６】
したがって、画面１５１，１５５の操作が容易であり、空調機システム群６０（６０ａ，６０ｂ，・・・）の構成変更に低コストで対応が行われる。
（６）
ここでは、図１に示す管理制御装置２０と室内機６２ａ，６３ａ，６４ａ，・・・，６２ｂ，６３ｂ，６４ｂ，・・・との間で情報を送受信する場合に、室内機６２ａ，６３ａ，６４ａ，・・・，６２ｂ，６３ｂ，６４ｂ，・・・はアドレスグループＡ，Ｂ，・・・の単位で情報を送受信する。
【００６７】
したがって、図１に示す管理制御装置２０の管理制御ポイントの数が低減される。
＜第１実施形態の変形例＞
（Ａ）図１においてゲートウェイ３０には、空調機システム群６０（６０ａ，６０ｂ，・・・）だけでなく、設備機器群８０（８１，８２，８３，８４，８５，・・・）が接続されていてもよい。ここで、設備機器群８０（８１，８２，８３，８４，８５，・・・）は、主として制御機器８１と設備機器８２，８３，８４，８５，・・・とを備える。設備機器群８０（８１，８２，８３，８４，８５，・・・）とゲートウェイ３０とは、ネットワーク５０により接続されている。設備機器群８０（８１，８２，８３，８４，８５，・・・）のアドレスも、空調機システム群６０（６０ａ，６０ｂ，・・・）のアドレスと同様に、図４に示すアドレスグループＡ，Ｂ，・・・に属させることができる。したがって、設備機器群８０（８１，８２，８３，８４，８５，・・・）の構成変更にも低コストで対応することができる。
（Ｂ）ゲートウェイ３０は、図２に示すように監視情報表示部３５をさらに備えていてもよい。このゲートウェイ３０では、図１に示すネットワーク５０における空調機システム群６０（６０ａ，６０ｂ，・・・）が監視される。図２に示す監視情報表示部３５は、空調機システム群６０（６０ａ，６０ｂ，・・・）を監視するための情報を表示画面３１に表示する。したがって、空調機システム群６０（６０ａ，６０ｂ，・・・）を監視するための情報をゲートウェイ３０で把握できるため、ネットワーク管理者又はシステム構築者に依頼する必要性が低減され、空調機システム群６０（６０ａ，６０ｂ，・・・）の監視に低コストで対応することができる。
（Ｃ）図１に示す全ての室内機６２ａ，６３ａ，６４ａ，・・・，６２ｂ，６３ｂ，６４ｂ，・・・のアドレスに対して１つのアドレスグループ「一括」が対応していてもよいし、全てのアドレスに対して図４に示す複数のアドレスグループＡ，Ｂ，・・・が対応していてもよい。アドレスグループ「一括」とアドレスグループＡ，Ｂ，・・・とは混在していてもよい。その場合、図５に示すグループ設定画面１５１にアドレスグループ「一括」とアドレスグループＡ，Ｂ，・・・とが表示されることになる。図１に示す１つの室内機６２ａ，６３ａ，６４ａ，・・・，６２ｂ，６３ｂ，６４ｂ，・・・のアドレスに対して１つのアドレスグループＡ，Ｂ，・・・が対応していてもよいし、図１に示す１つの室内機６２ａ，６３ａ，６４ａ，・・・，６２ｂ，６３ｂ，６４ｂ，・・・のアドレスに対して図４に示すように複数のアドレスグループＡ，Ｂ，・・・が対応していてもよい。
（Ｄ）図４に示すように、ゲートウェイ３０の１つのネットワーク変数（入力ＮＶｄ，入力ＮＶｅ，入力ＮＶｆ，入力ＮＶｇ，・・・，出力ＮＶｋ，出力ＮＶｌ，・・・）は、１つのアドレスグループＡ，Ｂ，・・・に対応しているだけでなく、複数のアドレスグループＡ，Ｂ，・・・に対応していてもよい。第１実施形態では、ゲートウェイ３０のネットワーク変数（入力ＮＶｄ，入力ＮＶｅ，入力ＮＶｆ，入力ＮＶｇ，・・・，出力ＮＶｋ，出力ＮＶｌ，・・・）とアドレスグループＡ，Ｂ，・・・との対応付けが固定されている場合が示されたが、ゲートウェイ３０のネットワーク変数（入力ＮＶｄ，入力ＮＶｅ，入力ＮＶｆ，入力ＮＶｇ，・・・，出力ＮＶｋ，出力ＮＶｌ，・・・）とアドレスグループＡ，Ｂ，・・・との対応付けを変更できるようにしてもよい。この場合、図３に示すステップＳ２で、図４に示すゲートウェイ３０のネットワーク変数（入力ＮＶｄ，入力ＮＶｅ，入力ＮＶｆ，入力ＮＶｇ，・・・，出力ＮＶｋ，出力ＮＶｌ，・・・）とアドレスグループＡ，Ｂ，・・・との対応付けがユーザにより行われてもよい。図５から図７に示す設定画面１５１，１５５と同様の設定画面がゲートウェイ３０の表示画面３１に表示されるようにしてもよい。これにより、空調機システム群６０（６０ａ，６０ｂ，・・・）の構成変更に柔軟に対応することができる。
（Ｅ）図４に示すように、管理制御装置２０の１つの出力用ネットワーク変数（出力ＮＶａ，出力ＮＶｂ，出力ＮＶｃ，・・・）は、ゲートウェイ３０の１つの入力用ネットワーク変数（入力ＮＶｄ，入力ＮＶｅ，入力ＮＶｆ，入力ＮＶｇ，・・・）へ出力するだけでなく、ゲートウェイ３０の複数の入力用ネットワーク変数（入力ＮＶｄ，入力ＮＶｅ，入力ＮＶｆ，入力ＮＶｇ，・・・）へ出力してもよい。管理制御装置２０の１つの入力用ネットワーク変数（入力ＮＶｈ，入力ＮＶｉ，入力ＮＶｊ，・・・）は、ゲートウェイ３０の１つの出力用ネットワーク変数（出力ＮＶｋ，出力ＮＶｌ，・・・）から入力されるだけでなく、ゲートウェイ３０の複数の出力用ネットワーク変数（出力ＮＶｋ，出力ＮＶｌ，・・・）から入力されてもよい。
【００６８】
ゲートウェイ３０の１つの出力用ネットワーク変数（出力ＮＶｋ，出力ＮＶｌ，・・・）は、管理制御装置２０の１つの入力用ネットワーク変数（入力ＮＶｈ，入力ＮＶｉ，入力ＮＶｊ，・・・）へ出力するだけでなく、管理制御装置２０の複数の入力用ネットワーク変数（入力ＮＶｈ，入力ＮＶｉ，入力ＮＶｊ，・・・）へ出力してもよい。ゲートウェイ３０の１つの入力用ネットワーク変数（入力ＮＶｄ，入力ＮＶｅ，入力ＮＶｆ，入力ＮＶｇ，・・・）は、管理制御装置２０の１つの出力用ネットワーク変数（出力ＮＶａ，出力ＮＶｂ，出力ＮＶｃ，・・・）から入力されるだけでなく、管理制御装置２０の複数の出力用ネットワーク変数（出力ＮＶａ，出力ＮＶｂ，出力ＮＶｃ，・・・）から入力されてもよい。
（Ｆ）図５から図７には、アドレスグループＡに属する室内機６２ａのアドレスを室内機６５ａのアドレスと入れ替える場合のみを示したが、アドレスグループＡに属する室内機６２ａのアドレスを単に削除してもよいし、室内機６５ａのアドレスを単に追加してもよい。すなわち、アドレスグループＡ，Ｂ，・・・に属する室内機６２ａ，６３ａ，６４ａ，・・・，６２ｂ，６３ｂ，６４ｂ，・・・のアドレスは自由に追加、削除、変更してもよい。
（Ｇ）図５から図７には、室内機６２ａ，６３ａ，６４ａ，・・・，６２ｂ，６３ｂ，６４ｂ，・・・のアドレスとアドレスグループＡ，Ｂ，・・・との対応付けが階層的に表示される場合を示したが、平面的に表示されるものでもよい。すなわち、室内機６２ａ，６３ａ，６４ａ，・・・，６２ｂ，６３ｂ，６４ｂ，・・・のアドレスとアドレスグループＡ，Ｂ，・・・とが同時に図２に示す表示画面３１に表示されてもよい。この場合は、室内機６２ａ，６３ａ，６４ａ，・・・，６２ｂ，６３ｂ，６４ｂ，・・・のアドレスとアドレスグループＡ，Ｂ，・・・との対応付けを一目で把握することができる。
（Ｈ）図２に示す入力インターフェース４０は、タッチパネル方式を採用してもよい。この場合、表示画面３１にユーザが手を触れることにより命令が感知される。あるいは、キーボードとマウスによるものであってもよいし、キーボードとトラックボールによるものであってもよいし、キーボードとジョイスティックによるものであってもよいし、電子ペンによるものであってもよいし、キーボードのみによるものであってもよいし、それらに類するものであってもよい。表示画面３１は、ブラウン管方式でもよいし、液晶方式でもよいし、それらに類するものであってもよい。ＬｏｎＷｏｒｋｓネットワーク１０は、何らかの変数を介した情報の送受信を行うネットワークであれば、ＬｏｎＷｏｒｋｓ以外の方式のネットワークであってもよい。設備機器群９０（９１，９２，・・・）は、キュービクル・蓄電池設備・発電機設備などの受変電設備、動力盤・エレベータなどの動力設備、電灯盤・ブラインドなどの照明等設備、防災シャッターなどの防災設備、窓センサ・警報などのセキュリティ設備、あるいは空調機システム群６０（６０ａ，６０ｂ，・・・）とは別の空調システムであってもよい。
【００６９】
［第２実施形態］
本発明の第２実施形態にかかるネットワークシステム１００を図８に示す。また、本発明の第２実施形態にかかるネットワークシステム１００の構成要素の構成図を図９に示す。図８及び図９において、図１及び図２のネットワークシステム１の構成要素と同様の構成要素は同じ番号で示してある。
【００７０】
このネットワークシステム１００は、基本的な構造は第１実施形態と同様であり、ゲートウェイ１３０がＬｏｎＷｏｒｋｓネットワーク１０とネットワーク５０とを接続している点も第１実施形態と同様であるが、ゲートウェイ１３０の構成要素が異なる。すなわち、図９に示すように、ゲートウェイ１３０は、主として表示画面３１と入力インターフェース４０とだけでなくアドレス対応付け記憶部３２とアドレス対応付け変更部３３とアドレス対応付け表示部３４とを備える点で第１実施形態と異なっている。
【００７１】
図９に示すアドレス対応付け記憶部３２は、図８に示す室内機６２ａ，６３ａ，６４ａ，・・・，６２ｂ，６３ｂ，６４ｂ，・・・のアドレスと図１１に示すネットワーク変数（入力ＮＶｄ，入力ＮＶｅ，入力ＮＶｆ，入力ＮＶｇ，・・・，出力ＮＶｋ，出力ＮＶｌ，・・・）との対応付けを記憶している点で第１実施形態と異なっている。
【００７２】
図９に示すアドレス対応付け表示部３４は、ユーザが入力インターフェース４０に入力した命令に基づき、図８に示す室内機６２ａ，６３ａ，６４ａ，・・・，６２ｂ，６３ｂ，６４ｂ，・・・のアドレスと図１１に示すネットワーク変数（入力ＮＶｄ，入力ＮＶｅ，入力ＮＶｆ，入力ＮＶｇ，・・・，出力ＮＶｋ，出力ＮＶｌ，・・・）との対応付けの情報を図９に示すアドレス対応付け記憶部３２から取得し、表示画面３１に表示する点で第１実施形態と異なっている。
【００７３】
図８に示すネットワークシステム１００が空調機システム群６０（６０ａ，６０ｂ，・・・）の構成変更へ対応する処理の流れは、図１０に示すように基本的には第１実施形態と同様であるが、次の点で第１実施形態と異なる。なお、図１０において、図３の処理と同様の処理は同じ番号で示してある。図１０に示すステップＳ１１では、図１１に示すゲートウェイ１３０のネットワーク変数（入力ＮＶｄ，入力ＮＶｅ，入力ＮＶｆ，入力ＮＶｇ，・・・，出力ＮＶｋ，出力ＮＶｌ，・・・）と室内機６２ａ，６３ａ，６４ａ，・・・，６２ｂ，６３ｂ，６４ｂ，・・・のアドレスとの対応付けがネットワーク管理者又はシステム構築者によりゲートウェイ１３０に設定され、図９に示すアドレス対応付け記憶部３２に記憶される。図１０に示すステップＳ１２では、図９に示す入力インターフェース４０からの命令により、図９に示すアドレス対応付け表示部３４によりアドレス対応付け記憶部３２が参照され、アドレス対応付け表示部３４により表示画面３１に図１２に示すようなネットワーク変数設定画面１７１が表示され、「ネットワーク変数設定」と書かれた下の欄１７１においてネットワーク変数（入力ＮＶｄ，入力ＮＶｅ，入力ＮＶｆ，入力ＮＶｇ，・・・，出力ＮＶｋ，出力ＮＶｌ，・・・）のいずれかが選択される。図１０に示すステップＳ１３では、図１２に示す「登録アドレス編集」ボタン１７３が押され、図９に示すアドレス対応付け表示部３４によりアドレス対応付け記憶部３２が参照され、アドレス対応付け表示部３４により表示画面３１に図１３に示すような登録アドレス編集画面１７５が表示される。登録アドレス編集画面１７５では、図１０に示すステップＳ１２で選択されたネットワーク変数（入力ＮＶｄ，入力ＮＶｅ，入力ＮＶｆ，入力ＮＶｇ，・・・，出力ＮＶｋ，出力ＮＶｌ，・・・）に対応する図８に示す室内機６２ａ，６３ａ，６４ａ，・・・，６２ｂ，６３ｂ，６４ｂ，・・・のアドレスが「登録済みアドレス」の欄１７６に表示される。ただし、初期の状態では「登録済みアドレス」の欄１７６は空欄になっている。登録アドレス編集画面１７５において、図１０に示すステップＳ１２で選択されたネットワーク変数（入力ＮＶｄ，入力ＮＶｅ，入力ＮＶｆ，入力ＮＶｇ，・・・，出力ＮＶｋ，出力ＮＶｌ，・・・）に対応する図８に示す室内機６２ａ，６３ａ，６４ａ，・・・，６２ｂ，６３ｂ，６４ｂ，・・・のアドレスが登録される。図１０に示すステップＳ１４では、図１２及び図１３に示す「ＯＫ」ボタン１８０，１７４が押され、図１１に示すネットワーク変数（入力ＮＶｄ，入力ＮＶｅ，入力ＮＶｆ，入力ＮＶｇ，・・・，出力ＮＶｋ，出力ＮＶｌ，・・・）と図８に示す室内機６２ａ，６３ａ，６４ａ，・・・，６２ｂ，６３ｂ，６４ｂ，・・・のアドレスとの対応付けが、図９に示す入力インターフェース４０によりアドレス対応付け変更部３３へ伝達され、アドレス対応付け変更部３３によりアドレス対応付け記憶部３２へ記憶される。
【００７４】
図８に示すネットワークシステム１００において情報が送受信される動作は、図１１に示すように基本的には第１実施形態と同様であるが、アドレスグループＡ，Ｂ，・・・を介さずに情報が送受信される点で第１実施形態と異なる。
図１１に示すネットワーク変数（入力ＮＶｄ，入力ＮＶｅ，入力ＮＶｆ，入力ＮＶｇ，・・・，出力ＮＶｋ，出力ＮＶｌ，・・・）と図８に示す室内機６２ａ，６３ａ，６４ａ，・・・，６２ｂ，６３ｂ，６４ｂ，・・・のアドレスとの対応付けがゲートウェイ１３０で変更されるため、ネットワーク管理者又はシステム構築者に依頼する必要性が低減される点も第１実施形態と同様である。したがって、このようなネットワークシステム１００によっても、空調機システム群６０（６０ａ，６０ｂ，・・・）の構成変更に低コストで対応が行われる。
【００７５】
＜第２実施形態の変形例＞
（Ａ）図１１に示すゲートウェイ１３０の１つのネットワーク変数（入力ＮＶｄ，入力ＮＶｅ，入力ＮＶｆ，入力ＮＶｇ，・・・，出力ＮＶｋ，出力ＮＶｌ，・・・）に対して複数の室内機６２ａ，６３ａ，６４ａ，・・・，６２ｂ，６３ｂ，６４ｂ，・・・のアドレスが対応していてもよいし、ゲートウェイ１３０の複数のネットワーク変数（入力ＮＶｄ，入力ＮＶｅ，入力ＮＶｆ，入力ＮＶｇ，・・・，出力ＮＶｋ，出力ＮＶｌ，・・・）に対して１つの室内機６２ａ，６３ａ，６４ａ，・・・，６２ｂ，６３ｂ，６４ｂ，・・・のアドレスが対応していてもよいし、ゲートウェイ１３０の１つのネットワーク変数（入力ＮＶｄ，入力ＮＶｅ，入力ＮＶｆ，入力ＮＶｇ，・・・，出力ＮＶｋ，出力ＮＶｌ，・・・）に対して１つの室内機６２ａ，６３ａ，６４ａ，・・・，６２ｂ，６３ｂ，６４ｂ，・・・のアドレスが対応していてもよいし、ゲートウェイ１３０の複数のネットワーク変数（入力ＮＶｄ，入力ＮＶｅ，入力ＮＶｆ，入力ＮＶｇ，・・・，出力ＮＶｋ，出力ＮＶｌ，・・・）に対して複数の室内機６２ａ，６３ａ，６４ａ，・・・，６２ｂ，６３ｂ，６４ｂ，・・・のアドレスが対応していてもよい。（Ｂ）図１２及び図１３に示すように、ネットワーク変数（入力ＮＶｄ，入力ＮＶｅ，入力ＮＶｆ，入力ＮＶｇ，・・・，出力ＮＶｋ，出力ＮＶｌ，・・・）に対応する室内機６２ａ，６３ａ，６４ａ，・・・，６２ｂ，６３ｂ，６４ｂ，・・・のアドレスは自由に追加、削除、変更してもよい。
【００７６】
【発明の効果】
請求項１に係るネットワークノードでは、複数の仲介手段と複数の機器のアドレスとの対応付けをネットワークノードで変更できるため、ネットワーク管理者又はシステム構築者に依頼する必要性が低減され、機器の構成変更に低コストで対応することができる。
【００７７】
請求項２に係るネットワークノードでは、複数の仲介手段と複数の機器のアドレスとの対応付けを容易に把握することができるので、複数の仲介手段と複数の機器のアドレスとの対応付けをさらに容易に変更することができる。
請求項３に係るネットワークノードでは、複数の仲介手段と複数の機器のアドレスとの変更後の対応付けを容易に把握することができるので、複数の仲介手段と複数の機器のアドレスとの変更後の対応付けを容易に確認することができる。
【００７８】
請求項４に係るネットワークノードでは、監視情報をネットワークノードで把握できるため、ネットワーク管理者又はシステム構築者に依頼する必要性が低減され、機器の監視に低コストで対応することができる。
請求項５に係るネットワークノードでは、複数のネットワーク変数と複数の機器のアドレスとの対応付けをネットワークノードで変更できるため、ネットワーク管理者又はシステム構築者に依頼する必要性が低減され、分散制御ネットワークと既存のネットワークとが混在する場合でも機器の構成変更に低コストで対応することができる。
【００７９】
請求項６に係るネットワークシステムでは、複数の仲介手段と複数の機器のアドレスとの対応付けをネットワークノードで変更できるため、ネットワーク管理者又はシステム構築者に依頼する必要性が低減され、機器の構成変更に低コストで対応することができる。
請求項７に係る複数の機器の構成変更方法では、複数の仲介手段と複数の機器のアドレスとの対応付けをネットワークノードで変更できるため、ネットワーク管理者又はシステム構築者に依頼する必要性が低減され、機器の構成変更に低コストで対応することができる。
【００８０】
請求項８に係るネットワークノードでは、複数の機器のアドレスと１以上のアドレスグループとの対応付けをネットワークノードで変更できるため、ネットワーク管理者又はシステム構築者に依頼する必要性が低減され、機器の構成変更に低コストで対応することができる。
請求項９に係るネットワークノードでは、複数の機器のアドレスと１以上のアドレスグループとのグループ分け記憶部における対応付けを容易に把握することができるので、複数の機器のアドレスと１以上のアドレスグループとの対応付けをさらに容易に変更することができる。
【００８１】
請求項１０に係るネットワークノードでは、複数の機器のアドレスと１以上のアドレスグループとの変更後の対応付けを容易に把握することができるので、複数の機器のアドレスと１以上のアドレスグループとの変更後の対応付けを容易に確認することができる。
請求項１１に係るネットワークノードでは、監視情報をネットワークノードで把握できるため、ネットワーク管理者又はシステム構築者に依頼する必要性が低減され、機器の監視に低コストで対応することができる。
【００８２】
請求項１２に係るネットワークノードでは、複数の機器のアドレスと１以上のアドレスグループとの対応付けをネットワークノードで変更できるため、ネットワーク管理者又はシステム構築者に依頼する必要性が低減され、分散制御ネットワークと既存のネットワークとが混在する場合でも機器の構成変更に低コストで対応することができる。
【００８３】
請求項１３に係るネットワークシステムでは、複数の機器のアドレスと１以上のアドレスグループとの対応付けをネットワークノードで変更できるため、ネットワーク管理者又はシステム構築者に依頼する必要性が低減され、機器の構成変更に低コストで対応することができる。
請求項１４にかかる複数の機器の構成変更方法では、複数の機器のアドレスと１以上のアドレスグループとの対応付けをネットワークノードで変更できるため、ネットワーク管理者又はシステム構築者に依頼する必要性が低減され、機器の構成変更に低コストで対応することができる。
【図面の簡単な説明】
【図１】本発明の第１実施形態によるネットワークシステム１の構成図。
【図２】本発明の第１実施形態によるゲートウェイ３０の構成図。
【図３】ネットワークシステム１が空調機システム群６０（６０ａ，６０ｂ，・・・）の構成変更へ対応する処理の流れを示すフローチャート。
【図４】ネットワークシステム１において情報が送受信される動作を示す概念図。
【図５】ネットワークシステム１が空調機システム群６０（６０ａ，６０ｂ，・・・）の構成変更へ対応する際の表示画面３１の動作を示す図。
【図６】ネットワークシステム１が空調機システム群６０（６０ａ，６０ｂ，・・・）の構成変更へ対応する際の表示画面３１の動作を示す図。
【図７】ネットワークシステム１が空調機システム群６０（６０ａ，６０ｂ，・・・）の構成変更へ対応する際の表示画面３１の動作を示す図。
【図８】本発明の第２実施形態によるネットワークシステム１００の構成図。
【図９】本発明の第２実施形態によるゲートウェイ１３０の構成図。
【図１０】ネットワークシステム１００が空調機システム群６０（６０ａ，６０ｂ，・・・）の構成変更へ対応する処理の流れを示すフローチャート。
【図１１】ネットワークシステム１００において情報が送受信される動作を示す概念図。
【図１２】ネットワークシステム１が空調機システム群６０（６０ａ，６０ｂ，・・・）の構成変更へ対応する際の表示画面３１の動作を示す図。
【図１３】ネットワークシステム１００が空調機システム群６０（６０ａ，６０ｂ，・・・）の構成変更へ対応する際の表示画面３１の動作を示す図。
【符号の説明】
１，１００  ネットワークシステム
１０  ＬｏｎＷｏｒｋｓネットワーク
２０  管理制御装置
３０，１３０  ゲートウェイ
５０  ネットワーク
６０  空調機システム群
【図１】
2004349910.tif 000003
【図２】
2004349910.tif 000004
【図３】
2004349910.tif 000005
【図４】
2004349910.tif 000006
【図５】
2004349910.tif 000007
【図６】
2004349910.tif 000008
【図７】
2004349910.tif 000009
【図８】
2004349910.tif 000010
【図９】
2004349910.tif 000011
【図１０】
2004349910.tif 000012
【図１１】
2004349910.tif 000013
【図１２】
2004349910.tif 000014
【図１３】
2004349910.tif 000015